(57)【要約】【課題】自己保持型四方弁を駆動する低廉且つ小型であって長寿命を保証することができる四方弁駆動回路を提供する。【解決手段】商用交流電源１と自己保持型四方弁の四方弁コイル２との電気的接続／遮断を行うフォトトライアックカプラ３を備え、フォトトライアックカプラ３が商用交流電源１の出力電圧のゼロクロスに同期してオン／オフすることにより商用交流電源１の出力電圧の正電圧のみを四方弁コイル２に通電する第１の駆動モードと、フォトトライアックカプラ３が商用交流電源１の出力電圧のゼロクロスに同期してオン／オフすることにより商用交流電源１の出力電圧の負電圧のみを四方弁コイル２に通電する第２の駆動モードとを有している四方弁駆動回路。【選択図】図１
2008281163.tif 000002
【特許請求の範囲】
【請求項１】
自己保持型四方弁を駆動する四方弁駆動回路であって、
交流電源と前記自己保持型四方弁の四方弁コイルとの電気的接続／遮断を行う双方向半導体スイッチを備え、
前記双方向半導体スイッチが前記交流電源の出力電圧のゼロクロスに関連してオン／オフすることにより前記交流電源の出力電圧の正電圧のみを前記四方弁コイルに通電する第１の駆動モードと、
前記双方向半導体スイッチが前記交流電源の出力電圧のゼロクロスに関連してオン／オフすることにより前記交流電源の出力電圧の負電圧のみを前記四方弁コイルに通電する第２の駆動モードとを有していることを特徴とする四方弁駆動回路。
【請求項２】
前記双方向半導体スイッチが、第１の端子、第２の端子、及び制御端子を有し、前記交流電源に接続される前記第１の端子及び前記四方弁コイルに接続される前記第２の端子と前記制御端子とが絶縁されている請求項１に記載の四方弁駆動回路。
【請求項３】
前記四方弁コイルに対して並列に設けられるコンデンサを備える請求項１または請求項２に記載の四方弁駆動回路。
【請求項４】
自己保持型四方弁が設けられ冷媒の流れ方向の切り替えが可能な冷媒回路と、
交流電源と前記自己保持型四方弁の四方弁コイルとの電気的接続／遮断を行う双方向半導体スイッチを有する請求項１〜３のいずれかに記載の四方弁駆動回路と、
前記双方向半導体スイッチのオン／オフ制御を行う制御部とを備え、
前記四方弁駆動回路が、前記双方向半導体スイッチが前記交流電源の出力電圧のゼロクロスに関連してオン／オフすることにより前記交流電源の出力電圧の正電圧のみを前記四方弁コイルに通電する第１の駆動モードと、前記双方向半導体スイッチが前記交流電源の出力電圧のゼロクロスに関連してオン／オフすることにより前記交流電源の出力電圧の負電圧のみを前記四方弁コイルに通電する第２の駆動モードとを有するように、前記制御部が前記双方向半導体スイッチのオン／オフ制御を行うことを特徴とする熱移動装置。
【発明の詳細な説明】
【技術分野】
【０００１】
本発明は、自己保持型四方弁を駆動する四方弁駆動回路及びそれを備える熱移動装置に関する。
【背景技術】
【０００２】
例えば空気調和機では、通常、冷媒回路に四方弁を設け、その四方弁により冷媒の流れ方向を切り替えて冷房運転と暖房運転とを切り替えている。このような冷媒の流れ方向を切り替えるための四方弁には、従来、パイロット型四方弁が用いられていた。しかし、パイロット型四方弁は、常時通電する必要があるため省電力化を図ることができないという問題を有していた。
【０００３】
そこで、かかる問題を解決するために、近年、冷媒の流れ方向を切り替えるための四方弁に自己保持型四方弁が用いられ始めている。自己保持型四方弁は、切り替え時のみ通電し、通常時は通電なしで切り替え後の状態を保持することができるので、常時通電する必要がなく、省電力化を図ることができる。
【０００４】
ここで、自己保持型四方弁を駆動する従来の四方弁駆動回路の一構成例を図８に示す。図８に示す四方弁駆動回路は、電源用のリレーＲＹ１と、ダイオードブリッジ回路ＤＢ１と、電圧極性切り替え用のリレーＲＹ２とを備える。通常時には、リレーＲＹ１をオフにして四方弁コイル２への通電を停止している。一方、切り替え時には、商用交流電源１から出力される１００Ｖ又は２００Ｖの交流電圧を全波整流して四方弁コイル２に印加するが、リレーＲＹ２が接点ａを選択している場合と、リレーＲＹ２が接点ｂを選択している場合とで、四方弁コイル２への印加電圧の極性が互いに逆になる。そして、冷媒回路においては、四方弁の動作により、四方弁コイル２への印加電圧の極性に応じた冷媒の流れ方向となる。
【０００５】
また、特許文献１に開示されている自己保持型四方弁を駆動する従来の四方弁駆動回路の他の構成例を図９に示す。図９に示す四方弁駆動回路は、リレーＲＹ３及びＲＹ４と、ダイオードＤ１及びＤ２とを備えている。通常時には、リレーＲＹ３及びＲＹ４をオフにして四方弁コイル２への通電を停止している。一方、切り替え時には、商用交流電源１から出力される１００Ｖ又は２００Ｖの交流電圧を半波整流して四方弁コイル２に印加するが、リレーＲＹ３をオンにしリレーＲＹ４をオフにしダイオードＤ１により半波整流が行なわれている場合と、リレーＲＹ３をオフにしリレーＲＹ４をオンにしダイオードＤ２により半波整流が行なわれている場合とで、四方弁コイル２への印加電圧の極性が互いに逆になる。そして、冷媒回路においては、四方弁の動作により、四方弁コイル２への印加電圧の極性に応じた冷媒の流れ方向となる。
【０００６】
【特許文献１】特開平９−７２６３３号公報（第３図）
【発明の開示】
【発明が解決しようとする課題】
【０００７】
上述した自己保持型四方弁を駆動する従来の四方弁駆動回路は、整流手段と、二つのリレーを有する構成であり、部品点数が多いため、コストがかかり且つプリント基板に実装する際の実装面積も大きかった。また、リレーは、機械式スイッチであるため、応答速度が遅く、且つ、接点溶着などの不具合が起こる可能性があり長寿命を保証することができなかった。
【０００８】
本発明は、上記の状況に鑑み、自己保持型四方弁を駆動する低廉且つ小型であって長寿命を保証することができる四方弁駆動回路及びそれを備える熱移動装置を提供することを目的とする。
【課題を解決するための手段】
【０００９】
上記目的を達成するために本発明に係る四方弁駆動回路は、自己保持型四方弁を駆動する四方弁駆動回路であって、交流電源と前記自己保持型四方弁の四方弁コイルとの電気的接続／遮断を行う双方向半導体スイッチを備え、前記双方向半導体スイッチが前記交流電源の出力電圧のゼロクロスに関連してオン／オフすることにより前記交流電源の出力電圧の正電圧（前記交流電源の半周期分全てでもよく、一部であってもよい）のみを前記四方弁コイルに通電する第１の駆動モードと、前記双方向半導体スイッチが前記交流電源の出力電圧のゼロクロスに関連してオン／オフすることにより前記交流電源の出力電圧の負電圧（前記交流電源の半周期分全てでもよく、一部であってもよい）のみを前記四方弁コイルに通電する第２の駆動モードとを有している。
【００１０】
上記四方弁駆動回路は、従来必要であった整流手段が不要であり、従来複数必要であったスイッチが単数でよいため、部品点数が少なくなり、低コスト化及び小型化を図ることができる。また、上記四方弁駆動回路は、従来用いられていた機械式スイッチであるリレーを使用せず半導体スイッチを使用しているので、長寿命を保証することができる。なお、前記自己保持型四方弁が切り替え後の状態を保持している通常時には上記双方向半導体スイッチをオフにすることにより、省電力化を図ることができる。
【００１１】
また、上記四方弁駆動回路において、前記双方向半導体スイッチが、第１の端子、第２の端子、及び制御端子を有し、前記交流電源に接続される前記第１の端子及び前記四方弁コイルに接続される前記第２の端子と前記制御端子とが絶縁されているようにしてもよい。これにより、例え前記双方向半導体スイッチが破損しても前記交流電源の出力電圧が前記制御端子に接続される制御部に印加されることがなくなる。
【００１２】
また、上記いずれかの四方弁駆動回路において、前記四方弁コイルに対して並列に設けられるコンデンサを備えるようにしてもよい。これにより、前記四方弁コイルへの印加電圧が不足にすることを防止することができる。
【００１３】
また、上記目的を達成するために本発明に係る熱移動装置は、自己保持型四方弁が設けられ冷媒の流れ方向の切り替えが可能な冷媒回路と、交流電源と前記自己保持型四方弁の四方弁コイルとの電気的接続／遮断を行う双方向半導体スイッチを有する上記いずれかの四方弁駆動回路と、前記双方向半導体スイッチのオン／オフ制御を行う制御部とを備え、前記四方弁駆動回路が、前記双方向半導体スイッチが前記交流電源の出力電圧のゼロクロスに関連してオン／オフすることにより前記交流電源の出力電圧の正電圧のみを前記四方弁コイルに通電する第１の駆動モードと、前記双方向半導体スイッチが前記交流電源の出力電圧のゼロクロスに関連してオン／オフすることにより前記交流電源の出力電圧の負電圧のみを前記四方弁コイルに通電する第２の駆動モードとを有するように、前記制御部が前記双方向半導体スイッチのオン／オフ制御を行っている。
【発明の効果】
【００１４】
本発明によると、自己保持型四方弁を駆動する低廉且つ小型であって長寿命を保証することができる四方弁駆動回路及びそれを備える熱移動装置を実現することができる。
【発明を実施するための最良の形態】
【００１５】
本発明の実施形態について図面を参照して以下に説明する。本発明に係る四方弁駆動回路の一構成例を図１に示す。図１に示す四方弁駆動回路は、フォトトライアックカプラ３と、サージを吸収するためのＣＲ回路４とを備えている。フォトトライアックカプラ３の発光ダイオードのアノードには５Ｖの直流電圧が印加されており、フォトトライアックカプラ３の発光ダイオードのカソードはマイコン５に接続されている。
【００１６】
フォトトライアックカプラ３は、マイコン５によってオン／オフ制御される双方向半導体スイッチであり、商用交流電源１と四方弁コイル２との電気的接続／遮断を行う。フォトトライアックカプラ３がオンであるときは、商用交流電源１と四方弁コイル２とがフォトトライアックカプラ３によって電気的に接続され、商用交流電源１から出力される電圧が四方弁コイル２に印加される。一方、フォトトライアックカプラ３がオフであるときは、商用交流電源１と四方弁コイル２とがフォトトライアックカプラ３によって電気的に遮断され、商用交流電源１から出力される電圧が四方弁コイル２に印加されない。
【００１７】
図１に示す四方弁駆動回路とともに熱移動装置内に設けられているマイコン５は、ゼロクロス検出回路（不図示）から出力されるクロックを用いて商用交流電源１の出力電圧のゼロクロスを検出し、その検出結果に基づいて商用交流電源１の出力電圧のゼロクロスに同期したクロック信号を生成する。例えば図１に示す四方弁駆動回路を具備する熱移動装置が空気調和機である場合、タイマー機能やＰＡＭ機能等を実現するために従来からマイコンにおいて商用交流電源１の出力電圧のゼロクロス検出が行われているため、その検出結果を流用すれば簡単に商用交流電源１の出力電圧のゼロクロスに同期したクロック信号を生成することができる。
【００１８】
冷媒回路の冷媒の流れ方向を第１の方向に切り替える場合、マイコン５は、図２（ｂ）に示すクロック信号、すなわち、図２（ａ）に示す商用交流電源１の出力電圧の立ち上がりゼロクロスタイミングで立ち上がり、立ち下がりゼロクロスタイミングで立ち下がるクロック信号を生成し、その生成したクロック信号がＨｉｇｈレベルである期間のみフォトトライアックカプラ３の発光ダイオードを発光させフォトトライアックカプラ３をオンにする。これにより、四方弁コイル２には図２（ｃ）に示す電圧、すなわち商用交流電源１の出力電圧の半波整流された正電圧が印加され、冷媒回路の冷媒の流れ方向が第１の方向に切り替わる。
【００１９】
これに対して、冷媒回路の冷媒の流れ方向を第１の方向とは異なる第２の方向に切り替える場合、マイコン５は、図２（ｄ）に示すクロック信号、すなわち、図２（ａ）に示す商用交流電源１の出力電圧の立ち下がりゼロクロスタイミングで立ち上がり、立ち上がりゼロクロスタイミングで立ち下がるクロック信号を生成し、その生成したクロック信号がＨｉｇｈレベルである期間のみフォトトライアックカプラ３の発光ダイオードを発光させフォトトライアックカプラ３をオンにする。これにより、四方弁コイル２には図２（ｅ）に示す電圧、すなわち商用交流電源１の出力電圧の半波整流された負電圧が印加され、冷媒回路の冷媒の流れ方向が第２の方向に切り替わる。
【００２０】
マイコン５は、四方弁の切り替え時にのみ商用交流電源１の出力電圧のゼロクロスに同期したクロック信号（図２（ｂ）又は図２（ｄ）に示すクロック信号）を短時間（例えば、１．５秒程度）生成し、四方弁が切り替え後の状態を保持している通常時には商用交流電源１の出力電圧のゼロクロスに同期したクロック信号を生成せず、フォトトライアックカプラ３をオフにしておく。
【００２１】
例えば図１に示す四方弁駆動回路を具備する熱移動装置が空気調和機である場合、冷媒回路を、少なくとも圧縮機、室外熱交換器、膨張装置、及び室内熱交換器を冷媒配管により接続したものとし、冷房運転を行うときに冷媒回路の冷媒の流れ方向を第１の方向にし、暖房運転を行うときに冷媒回路の冷媒の流れ方向を第２の方向にするとよい。この場合、第１の方向は圧縮機→室外熱交換器→膨張装置→室内熱交換器→圧縮機の方向となり、第２の方向はその逆となる。
【００２２】
図１に示す四方弁駆動回路は、従来必要であった整流手段が不要であり、従来複数必要であったスイッチが単数でよいため、部品点数が少なくなり、低コスト化及び小型化を図ることができる。また、図１に示す四方弁駆動回路は、従来用いられていた機械式スイッチであるリレーを使用せず半導体スイッチを使用しているので、長寿命を保証することができる。
【００２３】
図１に示す四方弁駆動回路は、上記の通り半波整流での通電であるため、全波整流での通電を行っている図８に示す四方弁駆動回路に比べて、四方弁コイル２の温度上昇などを抑えることができる反面、四方弁コイル２への印加電圧が不足にするおそれがある。かかる電圧不足を防止する観点から、本発明に係る四方弁駆動回路の構成を図３に示すようにしてもよい。図３に示す四方弁駆動回路は、図１に示す四方弁駆動回路において、四方弁コイル２に対して並列に接続されるコンデンサ６を新たに追加した構成であり、四方弁コイル２に印加される電圧をコンデンサ６により平滑化している。
【００２４】
図３に示す四方弁駆動回路の動作は、基本的に図１に示す四方弁駆動回路と同様であるので、異なる点についてのみ以下で説明する。
【００２５】
冷媒回路の冷媒の流れ方向を第１の方向に切り替える場合、マイコン５は、図４（ｂ）に示すクロック信号、すなわち、図４（ａ）に示す商用交流電源１の出力電圧の立ち上がりゼロクロスタイミングで立ち上がり、立ち下がりゼロクロスタイミングで立ち下がるクロック信号を生成し、その生成したクロック信号がＨｉｇｈレベルである期間のみフォトトライアックカプラ３の発光ダイオードを発光させフォトトライアックカプラ３をオンにする。これにより、四方弁コイル２には図４（ｃ）に示す電圧、すなわち商用交流電源１の出力電圧の半波整流された正電圧をコンデンサ６により平滑化した電圧が印加され、冷媒回路の冷媒の流れ方向が第１の方向に切り替わる。
【００２６】
これに対して、冷媒回路の冷媒の流れ方向を第１の方向とは異なる第２の方向に切り替える場合、マイコン５は、図４（ｄ）に示すクロック信号、すなわち、図４（ａ）に示す商用交流電源１の出力電圧の立ち下がりゼロクロスタイミングで立ち上がり、立ち上がりゼロクロスタイミングで立ち下がるクロック信号を生成し、その生成したクロック信号がＨｉｇｈレベルである期間のみフォトトライアックカプラ３の発光ダイオードを発光させフォトトライアックカプラ３をオンにする。これにより、四方弁コイル２には図４（ｅ）に示す電圧、すなわち商用交流電源１の出力電圧の半波整流された負電圧をコンデンサ６により平滑化した電圧が印加され、冷媒回路の冷媒の流れ方向が第２の方向に切り替わる。
【００２７】
なお、上述した実施形態では、商用交流電源１と四方弁コイル２との電気的接続／遮断を行う双方向半導体スイッチとして、フォトトライアックカプラ３を用いたが、他の双方向半導体スイッチを用いても構わない。ただし、例え双方向半導体スイッチが破損しても商用交流電源１の出力電圧（１００Ｖ又は２００Ｖの電圧）が低電圧駆動のマイコン５に印加されることがないように、第１の端子、第２の端子、及び制御端子を有し、商用交流電源１に接続される第１の端子及び四方弁コイル２に接続される第２の端子とマイコン５に接続される制御端子とが絶縁されている双方向半導体スイッチを用いることが望ましい。
【００２８】
また、上述した実施形態では、マイコン５は、商用交流電源１の出力電圧の立ち上がりゼロクロスタイミングで立ち上がり、商用交流電源１の出力電圧の立ち下がりゼロクロスタイミングで立ち下がるクロック信号、または、商用交流電源１の出力電圧の立ち下がりゼロクロスタイミングで立ち上がり、商用交流電源１の出力電圧の立ち上がりゼロクロスタイミングで立ち下がるクロック信号を生成し、その生成したクロック信号がＨｉｇｈレベルである期間のみフォトトライアックカプラ３の発光ダイオードを発光させフォトトライアックカプラ３をオンにする制御を行っているが、本発明はこれに限定されることはなく、例えば、以下に示すようなマイコン５の制御であってもよい。
【００２９】
例えば、マイコン５が、商用交流電源１の出力電圧の立ち上がりゼロクロスタイミングで立ち上がり、立ち上がってから所定時間経過後に立ち下がるクロック信号、または、商用交流電源１の出力電圧の立ち下がりゼロクロスタイミングで立ち上がり、立ち上がってから所定時間経過後に立ち下がるクロック信号を生成し、その生成したクロック信号がＨｉｇｈレベルである期間のみフォトトライアックカプラ３の発光ダイオードを発光させフォトトライアックカプラ３をオンにする制御を行ってもよい。図１に示す四方弁駆動回路において、このようなマイコン５の制御が行われた場合の四方弁切り替え時の各部電圧波形を図５に示す。なお、上記所定時間は、クロック信号が立ち上がってから商用交流電源１の半周期期間を超えない時間（例えば商用交流電源１が５０Ｈｚであれば、１０ｍｓｅｃ未満、６０Ｈｚであれば約８．３３ｍｓｅｃ未満）である。上記所定時間は、適宜実験などを行って適切な値に設定することが望ましい。
【００３０】
あるいは、マイコン５が、商用交流電源１の出力電圧の立ち上がりゼロクロスタイミングを検出してから所定遅延時間経過後に立ち上がり、立ち上がってから所定時間経過後に立ち下がるクロック信号、または、商用交流電源１の出力電圧の立ち下がりゼロクロスタイミングを検出してから所定遅延時間経過後に立ち上がり、立ち上がってから所定時間経過後に立ち下がるクロック信号を生成し、その生成したクロック信号がＨｉｇｈレベルである期間のみフォトトライアックカプラ３の発光ダイオードを発光させフォトトライアックカプラ３をオンにする制御を行ってもよい。図１に示す四方弁駆動回路において、このようなマイコン５の制御が行われた場合の四方弁切り替え時の各部電圧波形を図６に示す。なお、上記所定遅延時間は、商用交流電源１の出力電圧のゼロクロスタイミングから商用交流電源１の半周期期間を超えない時間（例えば商用交流電源１が５０Ｈｚであれば、１０ｍｓｅｃ未満、６０Ｈｚであれば約８．３３ｍｓｅｃ未満）であり、上記所定時間は、クロック信号が立ち上がってから商用交流電源１の半周期期間を超えない時間（例えば商用交流電源１が５０Ｈｚであれば、１０ｍｓｅｃ未満、６０Ｈｚであれば約８．３３ｍｓｅｃ未満）である。上記所定遅延時間及び上記所定時間は、ともに適宜実験などを行って適切な値に設定することが望ましい。
【００３１】
あるいは、マイコン５が、商用交流電源１の出力電圧の立ち上がりゼロクロスタイミングを検出してから第１所定遅延時間経過後に立ち上がり、立ち上がってから所定時間経過後に立ち下がる第１クロック信号、または、商用交流電源１の出力電圧の立ち上がりゼロクロスタイミングを検出してから第２所定遅延時間経過後に立ち上がり、立ち上がってから所定時間経過後に立ち下がる第２クロック信号を生成し、その生成した第１クロック信号または第２クロック信号がＨｉｇｈレベルである期間のみフォトトライアックカプラ３の発光ダイオードを発光させフォトトライアックカプラ３をオンにする制御を行い、第１クロック信号により、四方弁コイル２に商用交流電源１の出力電圧の半波整流された正電圧を印加し、第２クロック信号により、四方弁コイル２に商用交流電源１の出力電圧の半波整流された負電圧を印加するようにしてもよい。図１に示す四方弁駆動回路において、このようなマイコン５の制御が行われた場合の四方弁切り替え時の各部電圧波形を図７に示す。なお、上記所定時間は、第１クロック信号または第２クロック信号が立ち上がってから商用交流電源の半周期期間を超えない時間（例えば商用交流電源１が５０Ｈｚであれば、１０ｍｓｅｃ未満、６０Ｈｚであれば約８．３３ｍｓｅｃ未満）であり、上記第１所定遅延時間は、商用交流電源１の出力電圧の立ち上がりゼロクロスタイミングから商用交流電源１の半周期期間を超えない時間（例えば商用交流電源１が５０Ｈｚであれば、１０ｍｓｅｃ未満、６０Ｈｚであれば約８．３３ｍｓｅｃ未満）であり、上記第２所定遅延時間は、商用交流電源１の出力電圧の立ち上がりゼロクロスタイミングから商用交流電源１の正電圧半周期期間が終了した後の負電圧半周期期間を超えない時間（例えば商用交流電源１が５０Ｈｚであれば、１０ｍｓｅｃ以上２０ｍｓｅｃ未満、６０Ｈｚであれば約８．３３ｍｓｅｃ以上１６．６７ｍｓｅｃ未満）である。上記第１所定遅延時間、上記第２所定遅延時間、及び上記所定時間は、いずれも適宜実験などを行って適切な値に設定することが望ましい。なお、当該制御例では、マイコン５が、商用交流電源１の出力電圧の立ち上がりゼロクロスタイミングを検出して２種類のクロック信号を生成しているが、これとは逆に、商用交流電源１の出力電圧の立ち下がりゼロクロスタイミングを検出して２種類のクロック信号を生成するようにしてもよい。
【００３２】
以上のように、本発明によると、交流電源の出力電圧のゼロクロスに関連させて、双方向半導体スイッチをオン／オフすることにより、交流電源の出力電圧の正電圧のみ、または、負電圧のみを自己保持型四方弁コイルに通電することができるので、自己保持型四方弁を駆動する低廉且つ小型であって長寿命を保証することができる四方弁駆動回路及びそれを備える熱移動装置（例えば、エアコンや、温冷庫）を実現することができる。
【図面の簡単な説明】
【００３３】
【図１】は、本発明に係る四方弁駆動回路の構成例を示す図である。
【図２】は、図１に示す四方弁駆動回路の四方弁切り替え時の各部電圧波形を示す図である。
【図３】は、本発明に係る四方弁駆動回路の他の構成例を示す図である。
【図４】は、図３に示す四方弁駆動回路の四方弁切り替え時の各部電圧波形を示す図である。
【図５】は、図１に示す四方弁駆動回路の四方弁切り替え時の各部電圧波形の他の例を示す図である。
【図６】は、図１に示す四方弁駆動回路の四方弁切り替え時の各部電圧波形の更に他の例を示す図である。
【図７】は、図１に示す四方弁駆動回路の四方弁切り替え時の各部電圧波形の更に他の例を示す図である。
【図８】は、自己保持型四方弁を駆動する従来の四方弁駆動回路の一構成例を示す図である。
【図９】は、自己保持型四方弁を駆動する従来の四方弁駆動回路の他の構成例を示す図である。
【符号の説明】
【００３４】
１    商用交流電源
２    四方弁コイル
３    フォトトライアックカプラ
４    ＣＲ回路
５    マイコン
６    コンデンサ
Ｄ１、Ｄ２    ダイオード
ＤＢ１    ダイオードブリッジ回路
ＲＹ１〜ＲＹ４    リレー
【図１】
2008281163.tif 000003
【図２】
2008281163.tif 000004
【図３】
2008281163.tif 000005
【図４】
2008281163.tif 000006
【図５】
2008281163.tif 000007
【図６】
2008281163.tif 000008
【図７】
2008281163.tif 000009
【図８】
2008281163.tif 000010
【図９】
2008281163.tif 000011